(57)【要約】【課題】資源を有効活用し、廃棄時にも環境破壊などを引き起こすことのない、環境にやさしい植栽用、路石用、床面用または園芸用品用のブロック体を提供する。【解決手段】ブロック体１を、粒状に粉砕したスギを主要構成要素としこれを集合させて形成するものとしたので、保水性、通気性に優れ、また油脂分の少ないスギを主要構成物としているため、植物の栽培環境として優れたものとなる。スギを主要構成要素としているので、土に戻すことにより、やがて土と同化し自然に還る。このようにブロック体１を廃棄する場合にも自然を破壊することがなく、環境に良い。またブロック体１に混入させたナラ炭によって、水道水のカルキ分を除去や、酸性雨の中和が行われるため、植栽用ブロック体１の内部に蓄えられた水は抗酸化水に変化し、ブロック体１に根付いた植物の根腐れを防止することができる。【選択図】図１
0003125460.tif 000002
【実用新案登録請求の範囲】
【請求項１】
粒状に粉砕されたスギのチップに、樹脂を混ぜ合わせて加熱押圧してなることを特徴とする植栽用、路石用、床面用または園芸用品用のブロック体。
【請求項２】
請求項１のブロック体に、粉状のナラ炭を混入してなることを特徴とする植栽用ブロック体。
【請求項３】
肥料、除草剤または植物の種のうち少なくともいずれか１つ以上を混入させて形成されていることを特徴とする請求項２に記載の植栽用ブロック体。
【請求項４】
植物が、芝生であることを特徴とする請求項３に記載の植栽用ブロック体。
【請求項５】
ブロック体が、歩行者、車椅子が沈み込まない程度まで加圧されてなることを特徴とする請求項１に記載の路面用あるいは床面用のブロック体。
【請求項６】
植木鉢等の園芸用品に成形してなる請求項１に記載の園芸用品用のブロック体。
【考案の詳細な説明】
【技術分野】
【０００１】
本考案は、スギのチップのブロック体に関し、路石用、床面用または園芸用品用のブロック体例えばコンクリートなどの上に植物を根付かせるための基礎となる植栽用、道路面に置く路石用、室内、デッキのフローリング材となる床面用あるいは植木鉢、花壇の区画をするレンガ等の園芸用品用のブロック体に関する。
【背景技術】
【０００２】
従来、コンクリートなどの植物が根を張ることが困難な場所に、ナイロン等の化学物質をスポンジ状に発泡させて形成したマットや、化学繊維を集合させて形成したマットなどを敷設し、これらのマットの上に植物の種などを蒔いてマットに植物の根を根付かせて植物を育てるといったことが行われていた。
このようなマットは内部に無数の隙間を有し、これらの隙間は水を溜め込んだり、植物の根を入り込ませて根付かせるための隙間となっている。
【特許文献１】実開平０５−０３１４７３
【考案の開示】
【考案が解決しようとする課題】
【０００３】
しかしながら、従来のマットは、ナイロン等の化学物質によって形成されていたり、合成樹脂製の枠に納められているため、使用後のマットを焼却して廃棄しようとした場合には、有害ガスが発生したり、土壌に埋めた場合であっても土と同化することがないなど、マットおよび枠の廃棄時に環境破壊を引き起こす恐れがある。
また、これらのマットおよび枠は石油から製造されるため、資源の有効利用とはならない。
【課題を解決するための手段】
【０００４】
そこで本考案はこのような問題点に鑑み、資源を有効利用し、廃棄時にも環境破壊などを引き起こすことのない、環境にやさしい自然材のみからなる植栽用、路石用、床面用または園芸用品用のブロック体を提供することを目的とする。
そのため本考案は、原料としてスギの間伐材を使用し、チップ状に粉砕されたスギと樹脂とを、内部に複数の隙間ができるように結合させて、隙間に水を蓄えることができるブロック体とした。そしてブロック体としたことにより従来の樹脂製の枠を不要とした。
また、重量比で１０％以下の粉状のナラ炭を混入させたり、肥料、除草剤、芝生などの植物の種を混入させたりして形成するものとした。
また、コルク状になるまで硬化させて花壇の障壁材であるレンガ路石あるいはウッドデッキもしくは室内のフローリング材、植木鉢等の園芸用品用のブロック体とした。
【考案の効果】
【０００５】
本考案によれば、ブロック体を、粒状のスギを集合させて形成することにより、保水性、通気性、排水性、水浄化作用に優れ、さらに原料として油脂分の少ないスギを用いているため、植物の栽培環境として優れたものとすることができる。
さらに、自然材の間伐材のスギを主要構成要素としているため、廃物利用であり、加えて樹脂製の枠なども使用していないので廃棄時にすべて土に還すことができ、環境を破壊することがない。
またナラ炭を混入させたことにより、水道水のカルキ分の除去や、酸性雨の中和が行われて植栽用ブロック体の内部に蓄えられた水を抗酸化水に変化させることができ、植栽用ブロック体に根付いた植物の根腐れを防止することができる。
【０００６】
あらかじめ肥料や除草剤、芝生などの植物の種を混入させて形成するものとしたので、植栽用ブロック体を敷設し水をかけるだけで植物を発芽させて育てることができ、育成作業が容易となる。
さらにまた、芝枯れなどが生じた場合でもその箇所のみの取替えが可能なので便利である。
さらに本考案ブロック体は、弾性を有し、また排水性にも優れているので路面、床面として適したものである。
また、路石、路面として使用した場合、植栽用ブロックおよび植栽物と同感覚となりマッチしたものとなる。
【考案を実施するための最良の形態】
【０００７】
次に本考案の実施の形態を実施例により説明する。
図１は、植栽用ブロック体の斜視図である。
植栽用ブロック体１は、糸屑状に細かく粉砕したスギを主要構成物とし、重量比で１０％以下の粉状のナラ炭が混入されている。
植栽用ブロック体１は、１〜２ｍｍ程度に粉砕した粒状のスギや粉状のナラ炭に天然樹脂を混ぜ、１５０〜１８０度程度に加熱し、箱状型枠内に投入してプレスすることによって板状に固めて作成されている。
なお、ナラ炭の混入割合が重量比で１０％を超えると、製品の色合いや、微生物の活動、ｐＨの調整機能が劣り望ましくない。
【０００８】
植栽用ブロック体１は、細かく粉砕されたスギやナラ炭を集合させてブロック化されているため、内部に無数の隙間を有する構造となる。
したがって、通気性が良く、また隙間に水を蓄えることができるので保水性に優れている。
植栽用ブロック体１は、油脂分の少ないスギを主要構成物としているため、植物の栽培環境として優れている。
また、さらに硬化させてブロック体としたものは、高い保水性および排水性を有し、そしてある程度の弾性を有するため、レンガ、路石あるいはウッドデッキもしくは室内のフローリング材として使用することができる。現代の自然化ニーズにマッチしたものとなっている。
【０００９】
植栽用ブロック体１にナラ炭を混入させたことにより、植栽用ブロック体１に植え付けた植物に水道水をかけた場合、ナラ炭の働きによって水道水中のカルキ分が除去されるほか、酸性雨が降った場合でも、雨水が中和される。
また植栽用ブロック体１には、あらかじめ肥料や除草剤、芝生などの植物の種が混ぜ合わされた状態で形成されている。
したがって、植栽用ブロック体１を敷設して水をかけるだけで、植栽用ブロック体１に混入した芝生などが自然に発芽して植栽用ブロック体１に根を張り、また肥料や除草剤などを後から与える必要がない。
【００１０】
次に、植栽用ブロック体１の製造方法について説明する。
図２に、ブロック体１の製造工程を示す。
１〜２ｍｍ程度の粒状に粉砕したスギと、粉状のナラ炭と、スギやナラ炭を固めて板状のブロック体に形成するために樹脂を混ぜ合わせる。
ナラ炭は、重量比で１０％以下となるように混入されている。望ましくは５％が製品の色合い上、およびカルキ分の除去や、酸性雨の中和等において有利である。
さらに、肥料や除草剤、芝生などの植物の種を適宜混入させる。
接着剤として使用する樹脂としては木粉との接着性から天然樹脂の尿素系樹脂、そして高圧縮するブロック体にはウレタン系樹脂が望ましい。
【００１１】
次に、所望の形状の鉄型枠２内にスギ、ナラ炭、樹脂の混合体３を投入し、上蓋４をし、その上から押圧し、１７０〜２００度程度に加熱して固化させてブロック体が作成される。
完成したブロック体１は、さらにのこぎりなどを用いて切断可能であり、敷設する場所の形状に合わせて容易に形状を変えることができる。
さらにまた、押圧力を１．５倍程度高め、かつナラ炭の含有量を少なめにして固化させることにより、レンガ、路石あるいは室内の床面、園芸用品用のブロック体とすることができる。
【００１２】
本実施例は以上のように構成され、植栽用ブロック体１を、粒状に粉砕したスギを主要構成要素とし、これをブロック体に形成するものとしたので、保水性、通気性に優れ、また油脂分の少ないスギを主要構成物としているため、植物の栽培環境として優れたものとなる。
自然材であるスギを主要構成要素とし、かつ合成樹脂製の枠も使用してないので、土に戻すことにより、やがて土と同化し自然に還る。このようにブロック体１を廃棄する場合にも自然を破壊することがなく、環境に良い。
ブロック体１の主要構成要素となるスギは粒状に粉砕されたものでよく、原木の長さを問わないため、大きさや太さが不揃いで建材として活用することができないような間伐材を用いることができるので、資源の有効活用となる。
【００１３】
またブロック体１に混入させたナラ炭によって、水道水のカルキ分の除去や、酸性雨の中和が行われるため、植栽用ブロック体１の内部に蓄えられた水は抗酸化水に変化し、植栽用ブロック体１に根付いた植物の根腐れを防止することができる。
植栽用ブロック体１を、あらかじめ肥料や除草剤、芝生などの植物の種を混ぜ合わせた状態で形成することにより、植栽用ブロック体１を敷設して水をかけるだけで、植栽用ブロック体１に混入させた芝生などの種が自然に発芽して植栽用ブロック体１に根を張り、また肥料や除草剤などを後から与える必要がないため、育成が簡単である。
【００１４】
ブロック体１を数段重ね合わせ、植栽する植物に合わせた深さの縦穴５を開けておき植物床して使用することもできる（図３）。
また、ブロック体に予め横穴を配しておくことで、パイプに孔を空け水を通す散水用パイプを挿通させることができるようにしておくのも有利である。
さらにブロック体の底面を凹凸に加工しておけば、排水性・通気性が非常に良くなり有利である。
【００１５】
本考案はブロック体に形成されているため、建物の屋根など、傾斜地であっても容易に敷設することができる。
さらに、スギなどの木屑によって構成されたブロック体１は、断熱効果が高いため、建物の屋上や屋根に設置した場合には、建物の内部の温度変化を緩和することができる。
またブロック体１に浸み込んだ水が蒸発する際に周りから気化熱を奪うため、温度を降下させることができる。
【図面の簡単な説明】
【００１６】
【図１】ブロック体を示す斜視図である。
【図２】ブロック体の製造工程を示す図である。
【図３】植物床
【符号の説明】
【００１７】
１      ブロック体
２      鉄型枠
３      混合体
４      上蓋
５      縦穴
【図１】
0003125460.tif 000003
【図２】
0003125460.tif 000004
【図３】
0003125460.tif 000005